(57)【要約】【課題】  本発明は、特公昭５２−２５５９０号公報の図示実施例に記載された構成型式の静電集塵装置をはじめとする従来の型式の静電集塵装置に配される荷電水霧化機材、水供給路、ガス通路を改善したものである。【解決手段】  本発明は、静電集塵装置に組み込まれる集塵室内に配される荷電水霧化機材を、常に集塵板と平行に、且つ水平を維持して配するものとし、水供給源と集塵室に配される荷電水霧化機材との間に配される水供給路の絶縁を完全なものとし、集塵室内を通過させるガスを常に集塵室内を平均化して通過させるようにしたものである。【選択図】  図１
2005081296.tif 000002
【特許請求の範囲】
【請求項１】
アースされた集塵板を対向させて数列に配し、前記したそれぞれのアースされた集塵板の間に、それぞれ端を閉鎖し、他端を水注入口とし、スプレーノズルを下向きに配列したパイプを絶縁材で両端を支持して配置し、下から汚れたガスを吹き込み、浄化されたガスを上から吹き抜ける構成とした集塵室と、前記した集塵室に配された前記絶縁材で支持されたスプレーノズルを下向きに配列したパイプの他端の水注入口に、集塵室外に設置された電源からの高圧静電気を荷電する導電性パイプを介在して、集塵室外に設置された供給源と取付口を介して連結した水供給を行う螺旋状に巻き込んだ長尺のホースから成る水供給路を接続して成る静電集塵装置において、前記集塵室に両端を絶縁材で支持されて配する一端を閉鎖し、他端を水注入口とし、水注入口に導電性パイプを連結して成るスプレーノズルを下向きに配列したパイプを断面が楕円形とするパイプとし、スプレーノズルを断面が楕円形とする前記パイプに下向きに配した構成としたことを特徴とする静電集塵装置。
【請求項２】
アースされた集塵板を対向させて数列に配し、前記したそれぞれのアースされた集塵板の間に、それぞれ端を閉鎖し、他端を水注入口とし、スプレーノズルを下向きに配列したパイプを絶縁材で両端を支持して配置し、下から汚れたガスを吹き込み、浄化されたガスを上から吹き抜ける構成とした集塵室と、前記した集塵室が配された前記絶縁材で支持されたスプレーノズルを下向きに配列したパイプの他端の水注入口に、集塵室外に設置された電源からの高圧静電気を荷電する導電性パイプを介在して、集塵室外に設置された供給源と取付口を介して連結した水供給を行う螺旋状に巻き込んだ長尺のホースから成る水供給路を接続して成る静電集塵装置において、前記集塵室に両端を絶縁材で支持されて配する一端を閉鎖し、他端を水注入口とし、水注入口に導電性パイプを連結して成るスプレーノズルを下向きに配列したパイプの導電性パイプと集塵室外に設置された供給源と取付口を介して連結した水供給を行う螺旋状に巻き込んだ長尺のホースから成る水供給路とを乾燥室に密閉したことを特徴とする静電集塵装置。
【請求項３】
アースされた集塵板を対向させて数列に配し、前記したそれぞれのアースされた集塵板の間に、それぞれ端を閉鎖し、他端を水注入口とし、スプレーノズルを下向きに配列したパイプを絶縁材で両端を支持して配置し、下から汚れたガスを吹き込み、浄化されたガスを上から吹き抜ける構成とした集塵室と、前記した集塵室が配された前記絶縁材で支持されたスプレーノズルを下向きに配列したパイプの他端の水注入口に、集塵室外に設置された電源からの高圧静電気を荷電する導電性パイプを介在して、集塵室外に設置された供給源と取付口を介して連結した水供給を行う螺旋状に巻き込んだ長尺のホースから成る水供給路を接続して成る静電集塵装置において、 集塵室のガスの吹き込み口から吹き込まれた汚れたガスの上昇通路に、通孔を対象に穿設した板を二枚摺動自在に重ね合わせて成る整流板として配して成ることを特徴とする静電集塵装置。
【発明の詳細な説明】
【技術分野】
【０００１】
本発明は、汚れたガスを浄化する静電集塵装置に関する発明である。
【背景技術】
【０００２】
静電集塵装置に組み込まれる静電集塵室の基本的構造は、アースされた集塵板を配し、その集塵板に平行して高電圧静電気を荷電された水を霧化して放射するスプレーノズルを下向きに配列したパイプから成る荷電水霧化機材を設けて集塵室を構成し、その集塵室内に汚れたガスを吹き込み、汚れたガス中の微粒子を取り除いたクリーンなガスとして吹き抜ける構造としたと言うものである。
【０００３】
前記した構造の静電集塵装置に組み込まれる静電集塵室内での静電集塵は、高圧静電気を荷電された水を霧化して放射するスプレーノズルを下向きに配列したパイプから成る荷電水霧化機材とアースされた集塵板の間に高電位差の電界を生じさせて、パイプに下向きに配列されたスプレーノズルから帯電した霧化水がアースされた集塵板に向かって飛翔させる雰囲気を作り、その雰囲気中に汚れたガスを吹き抜けさせ、その汚れたガスが前記した電界気中を通過する過程で汚れたガス中に含まれた微粒子に帯電させ、帯電した微粒子粒を前記した霧化水とともにアースされた集塵板に付着させ、アースされた集塵板でこれを捕捉してクリーンなガスとして排気すると言うものである。
【０００４】
前記した静電集塵装置に組み込まれる静電集塵室内に配置されたスプレーノズルを下向きに配列したパイプから成る荷電水霧化機材に高電圧静電気を荷電する電源は、集塵室外に配置されている。
電源からスプレーノズルを下向きに配列したパイプから成る荷電水霧化機材に送られる高圧静電気は、集塵室外に設置された電源からケーブルを通して、導電性部材を介してスプレーノズルを下向きに配列したパイプから成る荷電水霧化機材に荷電するように構成されている。
【０００５】
前記した静電集塵装置に組み込まれる静電集塵室内に配されるスプレーノズルを下向きに配列したパイプから成る荷電水霧化機材に送られる水を供給する水供給源は、集塵室外に設置されている。
水供給源からスプレーノズルを下向きに配列したパイプに送られる水は、水供給源から螺旋状に巻かれた長尺のホースを通してスプレーノズルを下向きに配列したパイプから成る荷電水霧化機材に前記導電性部材を通して水を供給するように構成されている。
【０００６】
前記したアースされた集塵板、荷電された水を霧化するスプレーノズルを下向きに配列したパイプから成る荷電水霧化機材を配置した静電集塵装置に組み込まれる静電集塵室は、汚れたガスを風量調節機能を備えた吹き込み口から吹き込み、汚れたガスを前記した部材間で生じる電界の中を通過させてクリーンなガスとして吹き抜ける構造になっている。
【０００７】
その構成の一例を示す装置が、特公昭５２−２５５９０号公報に図示実施例として記載されている。
【特許文献１】特公昭５２−２５５９０号公報
【０００８】
１．特公昭５２−２５５９０号に図示実施例として記載された型式の静電集塵装置に組み込まれる静電集塵室にかぎらず、一般の静電集塵装置に組み込まれる集塵室に、両端を絶縁材で支持されて配されたスプレーノズルを下向に多数配列したパイプから成る荷電水霧化機材は、常に集塵室内に複数列に平行に配された集塵板の面に対向して平行に且つ水平に配置されなければならない。
２．この型式の静電集塵装置に組み込まれる静電集塵室にかぎらず、一般の静電集塵装置に組み込まれる集塵室に、両端を絶縁材で支持されて配されたスプレーノズルを下向に多数配列したパイプから成る荷電水霧化機材の水注入口には、電源からの直流高圧静電気を荷電する導電パイプを接続し、その導電性パイプと介在して連結する水供給源と取付口を介在して連結した水供給を行う螺旋状に巻かれたホースは、絶縁性を確実のものとしなければならない。
３．この型式の静電集塵装置に組み込まれる静電集塵機にかぎらず、一般の静電集塵装置に組み込まれる集塵室は、集塵室に送り込まれる汚れたガスは、集塵室のすみずみにわたって均一の濃度、強さの上昇気流としなければならない。
ところで、同公報には、上記した点を解決した手段は全く開示されていない。
【発明の開示】
【発明が解決しようとする課題】
【０００９】
本発明は、
１．特公昭５２−２５５９０号公報に図示実施例として記載された型式の静電集塵装置に組み込まれた静電集塵室にかぎらず、一般の静電集塵装置に組み込まれた集塵室に両端を絶縁材で支持されて配されたスプレーノズルを下向に多数配列したパイプから成る荷電水霧化機材を、常に集塵室内に複数列にわたって平行に配された集塵板の面に対向して平行に且つ水平に配置されるようにする。
２．前記公報に図示実施例として記載された型式の静電集塵装置に組み込まれたにかぎらず、一般の静電集塵装置に組み込まれた集塵室に平行に配された集塵板の間に両端を絶縁材で支持されたスプレーノズルを下向に多数配列したパイプから成る荷電水霧化機材の水注入口に、電源からの直流高圧静電気を荷電する導電パイプを介在して連結する水供給源から水供給を行う螺旋状に巻かれたホースの絶縁性を確実のものとする。
３．前記公報に図示実施例として記載された型式の静電集塵機にかぎらず、一般の静電集塵機の集塵室を吹き抜けるガスの上昇気流は集塵室のすみずみにわたって均一の濃度、強さの上昇気流とする。
と言う課題を解決した技術を提供しようとするものである。
【課題を解決するための手段】
【００１０】
第１項の発明は、静電集塵装置に組み込まれる前記集塵室に両端を絶縁材で支持されて配する一端を閉鎖し、他端を水注入口とし、水注入口に導電性パイプを連結して成るスプレーノズルを下向きに配列したパイプを断面が楕円形とするパイプとし、スプレーノズルを断面が楕円形とする前記パイプに下向きに配した構成とした静電集塵装置。
第２項の発明は、静電集塵装置に組み込まれる前記集塵室に両端を絶縁材で支持されて配する一端を閉鎖し、他端を水注入口とし、水注入口に導電性パイプを連結して成るスプレーノズルを下向きに配列したパイプの導電性パイプと集塵室外に設置された供給源と取付口を介して連結した水供給を行う螺旋状に巻き込んだ長尺のホースから成る水供給路とを乾燥室に密閉した静電集塵装置。
第３項の発明は、静電集塵装置に組み込まれる集塵室のガスの吹き込み口から吹き込まれた汚れたガスの上昇通路に、通孔を対象に穿設した板を二枚摺動自在に重ね合わせて成る整流板として配して成るこ静電集塵装置。
【発明の効果】
【００１１】
本発明は、上記のように構成してあるから、まず、アースされた集塵板の間に配されるスプレーノズルを下向きに配列したパイプから成る荷電水霧化機材は、常に、前記した集塵板の間で前記した集塵板に平行して、且つ、垂れ下がることなく水平に配することができる。
次に、集塵室に両端を絶縁材で支持されて配されたスプレーノズルを下向きに配列したパイプから成る荷電水霧化機材の水注入口に取り付けた導電性パイプと、水供給源とを取付口を介して連結する螺旋状に巻き取った長尺のホースから成る水供給路は、水供給路内だけでなく、表面も高圧静電気の漏電を防止することができる。
即ち、前記導電性パイプと前記取付口までの水供給路の絶縁を確実にすることができる。
更に、集塵室内には汚れたガスの上昇気流を均等に生じさせることができ、集塵室のどの個所でも汚れたガスを均一に浄化することができる。
【発明を実施するための最良の形態】
【００１２】
本発明は、特公昭５２−２５５９０号公報に図示実施例として記載されている構成形式の静電集塵装置の欠点を改良した発明である。即ち、本発明の静電集塵装置の基本構成は、図１に示すように静電集塵装置に組み込まれる静電集塵機材を配した集塵室１と、集塵室１外に配した電源２と水供給源（図示しない）とから成っている。
【００１３】
静電集塵装置を構成する集塵室１は、矢印を以て図示するように汚れたガスを下から吹き込み、吹き込まれたガスが集塵室１内に配置された静電集塵機材を通過して浄化されたガスとなって上に向かって吹き抜けるように構成されている。
【００１４】
その集塵室１内に組み込まれる静電集塵機材は、図２に示すように複数枚のアースされた集塵板３を対向させて複数列に配されている。数列に配したそれぞれの対向する集塵板３の間には、一端を閉鎖し、他端を水注入口とし、スプレーノズルを下向きに配列したパイプから成る荷電水霧化機材４をそれぞれ両端を絶縁材７で支持して配されている。
【００１５】
前記した集塵室１に設置された前記絶縁材７で支持されたスプレーノズル４を下向きに配列したパイプ５から成る荷電水霧化機材６の他端の水注入口（図示しない）には、集塵室１外に設置された電源２とケーブル２１によって接続された高圧静電気を荷電する導電性パイプ８を取付け、その導電性パイプ８には集塵室１外に設置された水供給源（図示しない）からの水供給を行う螺旋状に巻き込んだ長尺のホースからなる水供給路９を接続したと言う構成から成っている。
【００１６】
前記した集塵室１での静電集塵は、電源２からケーブル２１を通してスプレーノズルを下向きに配列したパイプ５から成る荷電水霧化機材６の水注入口に取り付けた導電性パイプ８に高圧静電気を荷電する。水供給源（図示しない）からは水を螺旋状に巻き込んだ長尺のホースから成る水供給路９を通して、導電性パイプ８からスプレーノズル４を下向き配列したパイプから成る荷電水霧化機材６に送り込む。
【００１７】
前記した水は、前記したスプレーノズル４を下向きに配列したパイプから成る荷電水霧化機材６の水注入口に取り付けられた導電性パイプ８を通って、前記した荷電水霧化機材６を構成するスプレーノズル４を下向きに配列したパイプ５に送り込まれ、荷電水として前記荷電水霧化機材６として構成されたパイプ５に下向きに配列されたスプレーノズル４から図２に示すように霧化水として集塵室１に配置されたアースされた集塵板３に向かって飛翔する。このとき、前記したパイプ５に下向きに配列されたノズル４とアースされた集塵板３の間には電界が形成されている。
【００１８】
この状態下で、集塵室の下方から汚れたガスを吹き込む。汚れたガスは、集塵室１の上方に上昇する。上昇した汚れたガスが前記した静電集塵機材で形成される電界中を通過するとき、汚れたガス中に含まれた微粒子は、帯電して前記した霧化水とともに前記した集塵板３に付着する。
即ち、集塵室１内に組み込まれた静電集塵機材による静電集塵されたクリーンなガスとなって集塵室から吹き抜けると言うものである。
【００１９】
その改良点の１は、特公昭５２−２５５９０号に図示実施例として記載された静電集塵装置ばかりでなく一般に静電集塵装置の集塵室は、の集塵室内に配置するスプレーノズルを下向きに配列したパイプから成る荷電水霧化機材を構成するパイプは一般に断面を円形としたパイプである。
この構成は、前記した、特公昭５２−２５９９０号公報にも図示実施例として記載されている。
本発明の集塵室内に配するスプレーノズルを下向きに配列した荷電水霧化機材６を構成するパイプ５は、図２に示すように断面が楕円形のパイプとする。
【００２０】
上記公報に図示実施例として記載されたこれまでのスプレーノズルを下向きに配列したパイプから成る荷電水霧化機材を構成するパイプは、次の欠点がある。
即ち、上記公報に図示実施例として記載された荷電水霧化機材として構成されたスプレーノズルを下向きに配列したパイプは断面が円形であるところから、そのパイプを長尺としたときは、パイプに下向きに配列するスプレーノズルの重さによって撓んでしまうと言う不都合がある。
【００２１】
本発明のスプレーノズル４を下向きに配列したパイプ５から成る荷電水霧化機材６を構成するパイプは、断面を楕円形としたパイプを使用した。これによって下向きに配列するスプレーノズルの重さによって撓むと言う不都合を生じることはない。
【００２２】
その改良点の２は、特公昭５２−２５５９０号に図示実施例として記載された静電集塵装置の集塵室内に配されたスプレーノズルを下向きに配列したパイプから成る荷電水霧化機材を構成するパイプの水注入口に取り付けられた導電性パイプと集塵室外に配された水供給源との間にあって、水供給源から伝導性パイプまで水を送る螺旋状に巻き取った長尺のホースから成る水供給路は、本発明では図１に示すように前記した導電性パイプと水供給源（図示しない）との接続口までを外気から遮断された乾燥室内に収容して構成した。
【００２３】
これまでの静電集塵装置に組み込まれる集塵室に配するスプレーノズルを下向きに配列したパイプから成る荷電水霧化機材を構成するパイプの水注入口に接続した導電性パイプと水供給源の間に配する前記した水供給路は、前記した導電性パイプに荷電された高電圧静電気が、水供給路の中を流れる水を通して電源に漏電するのを阻止するため、水供給路中に流れる水の電気抵抗を最大限に活用して漏電を阻止するため、水供給路を長尺のホースとし、ホースの水供給路の設置面積を考えて、前記したホースを螺旋状に巻き取ってその設置面積を小さくしている。
この構成は、特公昭５２−２５５９０号公報に図示実施例として記載されている。
【００２４】
そして、安全性を考えて、前記水供給路の表面に絶縁剤を塗布してある。
【００２５】
ところが、前記した長尺のホースを螺旋状に巻き取った水供給路は、常時、水供給路中に水を流しているので、外気に触れた前記導電性パイプの表面と水供給路の表面に結露が生じ、その結露の連続によって前記した導電性パイプから水供給源までの間の水供給路の表面に漏電現象が生じる危険がある。
その危険を防止するため、前記水供給路を絶縁剤に所定の間隔をあけて巻き付ける手段を講じ、前記した結露の連続を阻止することがなされ、或は、前記した水供給路を絶縁油中に浸漬する手段を講じることがなされている。
【００２６】
ところが、前記した前者の手段では、導電性パイプから、水供給源までの水供給路の漏電を阻止する手段は完全でないし、また、後者の手段では装置、管理に多額の費用を要すると言う不都合が生じる。
【００２７】
本発明は、導電性パイプ８と水供給源（図示しない）の間に配される水供給路９について前記した不都合を解消するため、次の手段を講じた。
その手段は、導電性パイプ８に、絶縁剤を塗布し、
水供給源に接続する螺旋状に巻き取った長尺のホースの水供給路９の接続口に絶縁剤を塗布し、
導電パイプ８から、螺旋状に巻き取った長尺のホースの水供給路９の水供給源との接続口までを外気と遮断する乾燥室１０内に密閉して収容する手段を講じた。
従って、導電性パイプ８の表面にも水供給路９の表面にも結露を生じることはない。
従って、導電性パイプ８から水供給源に接続する水供給路９は完全に絶縁が保たれることになる。
【００２８】
その改良点の３は、本発明の集塵室１は、集塵室に吹き込まれた汚れたガスを、集塵室の全体にわたって均等に集塵室を上昇する仕組みが施されている。
即ち、集塵室１の下方に設けられる汚れたガスを吹き込み口の上方に整流機構３０を設け、整流機構３０を以て汚れたガスの通過を汚れたガスの吹込部と、浄化部とを区分けした。
【００２９】
その整流機構３０は、図３に示すように上下二枚３１，３３の板に対象の通孔３２、３４を設けて成るものである。
即ち、前記二枚の板３１，３３の通孔３２，３４を上下合致したときは前記通孔は全開状態となる。前記二枚の板３１，３３をスライドさせ前記通孔３２，３４を互い違いにしたときは、前記通孔は閉塞される。
前記二枚の板３１，３３を手動或は自動による手段によって行うスライド加減によって前記通孔の大きさを加減することができる。従って、集塵室内に吹き込む汚れたガスの吹き込む状態によって、前記二枚の板のスライド状態を加減することによって汚れたガスの上昇気流を分散させたり、風量を調節して集塵室に均等の上昇気流を作ることができる。
【００３０】
特公昭５２−２５５９０号公報に図示実施例として記載された静電集塵装置、並に、これまでの静電集塵装置に配される集塵室は、集塵室内に汚れたガスを吹き込むのに集塵室の吹き込み口に風量調節機構が配されている。しかし、集塵室に吹き込まれた汚れたガスを、集塵室全体にわたって均一に上昇させる機構を配した集塵室はない。
従って、集塵室に吹き込まれた汚れたガスは、吹き込み口に対向する側壁に吹き当って上昇する現象を呈することになる。
この現象を生じた状態下での汚れたガスの上昇気流は、吹き込み口に対向する側壁の側により強い上昇気流が発生することになる。
即ち、吹き込む口に対向する側壁の側と、その側壁の手前側とでは上昇気流の上昇力に強弱ができる。
この上昇気流によって、集塵室を通過する汚れたガスは、集塵室内に配された集塵機構によって均等に集塵されることが難しいと言う不都合を生じる。
本発明はそのような不都合は生じない。
【図面の簡単な説明】
【００３１】
【図１】本発明の静電集塵装置の構成略図
【図２】本発明の静電集塵装置の集塵室内の静電集塵機材の配置を示す略図
【図３】本発明の静電集塵装置の集塵室に配する整流機構の構成斜視図
【符号の説明】
【００３２】
１．集塵室
２．電源
３．集塵板
４．スプレーノズル
５．パイプ
６．荷電水霧化機材
７．絶縁材  
８．導電性パイプ
９．水供給路
１０．乾燥室
３０．整流機構
３１．３３．板
３２．３４．通孔
【図１】
2005081296.tif 000003
【図２】
2005081296.tif 000004
【図３】
2005081296.tif 000005